(57)【特許請求の範囲】
【請求項１】
依頼人から通信手段を介して、建設しようとする各種施設の少なくとも予定入場者数と、前記各種施設から出る汚水及びゴミと、前記汚水及びゴミをどの程度まで減量化・再資源化処理するかの処理要求グレードとに関する依頼先データを入力してコンピュータの記憶手段に記憶しておくステップと、
各種設備業者から通信手段を介して、提供できる便所及び便所で集められた汚水を減量化・再資源化する設備を含めた排水処理設備と、提供できるゴミ集積器及びゴミ集積器で集められたゴミを減量化・再資源化する設備を含めたゴミ処理設備に関する各種パーツの数量と機種にかかる設備データを入力してコンピュータの記憶手段に記憶しておくステップと、
前記入力した依頼先データを用いて前記建設しようとする各種施設に設置される便所とゴミ集積器の必要設置台数を求めると共に、前記建設しようとする各種施設に設置する前記便所を含む排水処理設備と前記ゴミ集積器を含むゴミ処理設備の処理要求グレードに合せた各種パーツの選定及び組み合わせをコンピュータによってプランニングするステップと、
前記プランニングした排水処理設備とゴミ処理設備の各種パーツを発注する各種設備業者を、前記設備データを用いてコンピュータによって選定するステップと、
依頼人に前記プランニングした結果をコンピュータによって出力するステップと、
前記各種設備業者毎に各々プランニングした排水処理設備とゴミ処理設備の各種パーツをコンピュータによって発注するステップと、
を具備することを特徴とするコンピュータによる排水・ゴミ同時処理施設のプランニングとプラン実行の仲介方法。
【請求項２】
依頼人から通信手段を介して、建設しようとする各種施設の少なくとも予定入場者数と、前記各種施設から出る汚水及びゴミと、前記汚水及びゴミをどの程度まで減量化・再資源化処理するかの処理要求グレードとに関する依頼先データを入力して記憶する依頼先データベースと、
各種設備業者から通信手段を介して、提供できる便所及び便所に集められた汚水を減量化・再資源化する設備を含めた排水処理設備と、提供できるゴミ集積器及びゴミ集積器で集められたゴミを減量化・再資源化する設備を含めたゴミ処理設備に関する各種パーツの数量と機種にかかる設備データを入力して記憶する設備データベースと、
プランニングに必要な設計計算用データを記憶する設計計算用データベースと、
前記依頼先データベースの依頼先データと設計計算用データベースの設計計算用データとを用いて前記建設しようとする各種施設に設置される便所とゴミ集積器の必要設置台数を求めると共に、前記建設しようとする各種施設に設置する前記便所を含む排水処理設備と前記ゴミ集積器を含むゴミ処理設備の処理要求グレードに合せた各種パーツの選定及び組み合わせをプランニングするプランニング用演算装置と、
前記設備データベースの設備データを用いて前記プランニングした排水処理設備とゴミ処理設備の処理要求グレードに合せた各種パーツを発注する各種設備業者を選定する設備選定用演算装置と、
依頼人に前記プランニングした結果を出力する手段と、
前記各種設備業者毎に各々プランニングした排水処理設備とゴミ処理設備の各種パーツを発注する手段と、
を具備することを特徴とするコンピュータによる排水・ゴミ同時処理施設のプランニングとプラン実行の仲介システム。
【請求項３】
依頼人から通信手段を介して、建設しようとする各種施設の少なくとも予定入場者数と、前記各種施設から出る汚水及びゴミと、前記汚水及びゴミをどの程度まで減量化・再資源化処理するかの処理要求グレードとに関する依頼先データを入力して記憶する依頼先データベースと、
各種設備業者から通信手段を介して、提供できる便所及び便所に集められた汚水を減量化・再資源化する設備を含めた排水処理設備と、提供できるゴミ集積器及びゴミ集積器で集められたゴミを減量化・再資源化する設備を含めたゴミ処理設備に関する各種パーツの数量と機種にかかる設備データを入力して記憶する設備データベースと、
プランニングに必要な設計計算用データを記憶する設計計算用データベースと、
前記依頼先データベースの依頼先データと設計計算用データベースの設計計算用データとを用いて前記建設しようとする各種施設に設置される便所とゴミ集積器の必要設置台数を求めると共に、前記建設しようとする各種施設に設置する前記便所を含む排水処理設備と前記ゴミ集積器を含むゴミ処理設備の処理要求グレードに合せた各種パーツの選定及び組み合わせをプランニングするプランニング用演算装置と、
前記設備データベースの設備データを用いて前記プランニングした排水処理設備とゴミ処理設備の処理要求グレードに合せた各種パーツを発注する各種設備業者を選定する設備選定用演算装置と、
依頼人に前記プランニングした結果を出力する手段と、
前記各種設備業者毎に各々プランニングした排水処理設備とゴミ処理設備の各種パーツを発注する手段と、
を一箇所に集中して設置してなることを特徴とするコンピュータによる排水・ゴミ同時処理施設のプランニングとプラン実行の仲介センター。
【発明の詳細な説明】
【０００１】
【発明の属する技術分野】
本発明は、排水・ゴミ同時処理施設のプランニングとプラン実行の仲介方法及びシステムに関するものである。
【０００２】
【従来の技術】
従来、各種イベント会場、スキー場、工事現場、キャンプ場等、使用期間が限定されているような施設（以下「期間限定施設」という）においては、その施設を建設する際にこれら施設から出る汚水及びゴミを処理するため、簡易便所設備及びゴミ集積器設備を各々別個にリースして設置し、また実際に発生した汚水とゴミはそのまま各々別個に収集して処理施設へ運搬するようにしていた。
【０００３】
そして簡易便所設備やゴミ集積器設備の数や機種は、別の各種イベント会場等で設置された簡易便所設備やゴミ集積器設備の数や機種を参考にして、経験と勘に頼って行われていた。このためその施設に合った最適な簡易便所設備やゴミ集積器設備の数や機種とすることができなかった。
【０００４】
また特に施設が上述のように期間限定施設の場合、設備が簡易なため、汚水とゴミの処理や減量化まで設計して運用することは困難で、汚水やゴミはそれぞれそのまま処理施設に運搬などするだけで環境上好ましくなかった。
【０００５】
【発明が解決しようとする課題】
本発明は上述の点に鑑みてなされたものでありその目的は、建設しようとする施設に合った排水・ゴミ同時処理施設のプランニングとプラン実行が図れる、排水・ゴミ同時処理施設のプランニングとプラン実行の仲介方法及びシステムを提供することにある。
【０００６】
【課題を解決するための手段】
上記問題点を解決するため本発明にかかる排水・ゴミ同時処理施設のプランニングとプラン実行の仲介方法は、依頼人から通信手段を介して、建設しようとする各種施設の少なくとも予定入場者数と、前記各種施設から出る汚水及びゴミと、前記汚水及びゴミをどの程度まで減量化・再資源化処理するかの処理要求グレードとに関する依頼先データを入力してコンピュータの記憶手段に記憶しておくステップと、各種設備業者から通信手段を介して、提供できる便所及び便所で集められた汚水を減量化・再資源化する設備を含めた排水処理設備と、提供できるゴミ集積器及びゴミ集積器で集められたゴミを減量化・再資源化する設備を含めたゴミ処理設備に関する各種パーツの数量と機種にかかる設備データを入力してコンピュータの記憶手段に記憶しておくステップと、前記入力した依頼先データを用いて前記建設しようとする各種施設に設置される便所とゴミ集積器の必要設置台数を求めると共に、前記建設しようとする各種施設に設置する前記便所を含む排水処理設備と前記ゴミ集積器を含むゴミ処理設備の処理要求グレードに合せた各種パーツの選定及び組み合わせをコンピュータによってプランニングするステップと、前記プランニングした排水処理設備とゴミ処理設備の各種パーツを発注する各種設備業者を、前記設備データを用いてコンピュータによって選定するステップと、依頼人に前記プランニングした結果をコンピュータによって出力するステップと、前記各種設備業者毎に各々プランニングした排水処理設備とゴミ処理設備の各種パーツをコンピュータによって発注するステップと、を具備することを特徴とする。
【０００７】
また本発明にかかる排水・ゴミ同時処理施設のプランニングとプラン実行の仲介システムは、依頼人から通信手段を介して、建設しようとする各種施設の少なくとも予定入場者数と、前記各種施設から出る汚水及びゴミと、前記汚水及びゴミをどの程度まで減量化・再資源化処理するかの処理要求グレードとに関する依頼先データを入力して記憶する依頼先データベースと、各種設備業者から通信手段を介して、提供できる便所及び便所に集められた汚水を減量化・再資源化する設備を含めた排水処理設備と、提供できるゴミ集積器及びゴミ集積器で集められたゴミを減量化・再資源化する設備を含めたゴミ処理設備に関する各種パーツの数量と機種にかかる設備データを入力して記憶する設備データベースと、プランニングに必要な設計計算用データを記憶する設計計算用データベースと、前記依頼先データベースの依頼先データと設計計算用データベースの設計計算用データとを用いて前記建設しようとする各種施設に設置される便所とゴミ集積器の必要設置台数を求めると共に、前記建設しようとする各種施設に設置する前記便所を含む排水処理設備と前記ゴミ集積器を含むゴミ処理設備の処理要求グレードに合せた各種パーツの選定及び組み合わせをプランニングするプランニング用演算装置と、前記設備データベースの設備データを用いて前記プランニングした排水処理設備とゴミ処理設備の処理要求グレードに合せた各種パーツを発注する各種設備業者を選定する設備選定用演算装置と、依頼人に前記プランニングした結果を出力する手段と、前記各種設備業者毎に各々プランニングした排水処理設備とゴミ処理設備の各種パーツを発注する手段と、を具備することを特徴とする。
【０００９】
また本発明にかかる排水・ゴミ同時処理施設のプランニングとプラン実行の仲介センターは、依頼人から通信手段を介して、建設しようとする各種施設の少なくとも予定入場者数と、前記各種施設から出る汚水及びゴミと、前記汚水及びゴミをどの程度まで減量化・再資源化処理するかの処理要求グレードとに関する依頼先データを入力して記憶する依頼先データベースと、各種設備業者から通信手段を介して、提供できる便所及び便所に集められた汚水を減量化・再資源化する設備を含めた排水処理設備と、提供できるゴミ集積器及びゴミ集積器で集められたゴミを減量化・再資源化する設備を含めたゴミ処理設備に関する各種パーツの数量と機種にかかる設備データを入力して記憶する設備データベースと、プランニングに必要な設計計算用データを記憶する設計計算用データベースと、前記依頼先データベースの依頼先データと設計計算用データベースの設計計算用データとを用いて前記建設しようとする各種施設に設置される便所とゴミ集積器の必要設置台数を求めると共に、前記建設しようとする各種施設に設置する前記便所を含む排水処理設備と前記ゴミ集積器を含むゴミ処理設備の処理要求グレードに合せた各種パーツの選定及び組み合わせをプランニングするプランニング用演算装置と、前記設備データベースの設備データを用いて前記プランニングした排水処理設備とゴミ処理設備の処理要求グレードに合せた各種パーツを発注する各種設備業者を選定する設備選定用演算装置と、依頼人に前記プランニングした結果を出力する手段と、前記各種設備業者毎に各々プランニングした排水処理設備とゴミ処理設備の各種パーツを発注する手段と、を一箇所に集中して設置してなることを特徴とする。
【００１０】
【発明の実施の形態】
以下、本発明の実施の形態を図面を参照して詳細に説明する。
図１は本発明を実行するのに用いるネットワークの一構成例を示す図である。同図に示すようにこのネットワークは、インターネットＩＮに、プランニングとプラン実行を行なう仲介システム１０と依頼人用パソコン２０と各種設備業者用パソコン３０とを接続して構成されている。
【００１１】
図２は上記ネットワークを用いて仲介システム１０が行なうプランニングとプラン実行の仲介方法の概略フロー図である。同図に示すようにまず仲介システム１０は、インターネットＩＮを介して依頼人用パソコン２０から建設しようとする各種施設の少なくとも予定入場者数と処理対象と処理対象の処理要求グレードとに関する依頼先データを入力して仲介システム１０の記憶手段に記憶する（ステップ１）。
【００１２】
一方仲介システム１０は、インターネットＩＮを介して各種設備業者用パソコン３０から提供できる排水処理設備とゴミ処理設備の各種パーツの数量や機種にかかる設備データを入力して仲介システム１０の記憶手段に記憶する（ステップ２）。
【００１３】
そして仲介システム１０は、前記入力した依頼先データを用いて便所とゴミ集積器の必要設置台数を算出するとともに、排水処理設備とゴミ処理設備の処理要求グレードに合せた各種パーツの選定及び組み合わせをプランニングする（ステップ３）。
【００１４】
次に前記プランニングした排水処理設備とゴミ処理設備の各種パーツを発注する各種設備業者を、前記設備データを用いて選定する（ステップ４）。
【００１５】
そしてインターネットＩＮを介して仲介システム１０から依頼人用パソコン２０に前記プランニングした結果（計画書と見積書）を出力する（ステップ５）。
【００１６】
また各種設備業者用パソコン３０には、インターネットＩＮを介して仲介システム１０からプランニングした排水処理設備とゴミ処理設備の各種パーツの発注（設備リース注文書・搬入計画書）を出力する（ステップ６）。
【００１７】
このように本発明においては、仲介システム１０が、インターネットＩＮを介して依頼人用パソコン２０から入力した依頼先データを用いて便所とゴミ集積器の必要設置台数の算出と、排水処理設備とゴミ処理設備の各種パーツの最適な選定及び組み合わせとをプランニングし、その結果を依頼人用パソコン２０に通知するとともに、各種パーツを各種設備業者用パソコン３０に発注するので、排水処理設備やゴミ処理設備の数や機種の選定を経験と勘に頼って行うことなくその施設に合った最適な排水処理設備やゴミ処理設備の数や機種を選択できるばかりか、効率良く各種パーツの発注ができる。
【００１８】
また特に各種イベント会場、スキー場、工事現場、キャンプ場等のような期間限定施設の場合、簡易な施設のため、汚水とゴミの再利用や減量化まで設計・運用することは困難であったが、下記するように排水処理設備とゴミ処理設備の各種パーツの最適な組み合わせをプランニングすることによって汚水やゴミを再資源化・減量化することも容易になり、環境を良好なものにすることもできるようになる。
【００１９】
ここで図３は上記実施形態によってプランニングされた排水処理設備とゴミ処理設備の構成例を示す図である。この排水処理設備とゴミ処理設備は、それぞれ簡易便所４０やゴミ集積器６０単体の他に、これらに集められた汚水やゴミを再資源化・減量化する設備を含めた設備全体をいう。即ち簡易便所４０，４０から貯留タンク４１に搬送された汚水は、スクリーン４３によって夾雑物が分離された後、生物処理槽（この実施形態では曝気タンクであるが、硝化・脱窒素処理槽でもよい）４５において微生物による生物処理で浄化され、その後膜分離装置４７に供給されて分離された液体が活性炭処理塔４９に送られてさらに浄化された後、処理水タンク５１にて最終処理水として貯留される。処理水タンク５１内の最終処理水は例えば紫外線ランプ５３によってさらに滅菌処理を行なっても良い。この最終処理水は浄化されているので、前記簡易便所４０で使用される水洗用の水などに再利用水として利用されたり、再利用水として利用された残りの最終処理水は排水して別の目的に利用されたりする。もちろん公共の排水処理施設に排水しても良いし、そのまま河川等に放流しても良い。なお生物処理槽４５において発生した汚泥は、下記するゴミ処理設備側の汚泥タンク６５に送られ、ゴミ側の汚泥として処理される。
【００２０】
一方ゴミ集積器６０，６０から真空輸送機Ｖ又は搬送機器によってゴミホッパー６１に搬送されたゴミは、生ゴミ分別機６３によって生ゴミとそうでないゴミに分離され、生ゴミは汚泥タンク６５に、それ以外のゴミは破砕機６６に送られる。破砕機６６に送られたゴミは、圧縮機６８によって圧縮され、固形分は廃棄物として搬出・処分され、圧縮によって発生したゴミ浸出液は前記貯留タンク４１に送られ、排水処理設備側の汚水と一緒に処理される。
【００２１】
一方汚泥タンク６５に搬送された生ゴミは混和機６７に送られ、調質剤（生ゴミの粒子を凝集させる凝集剤の一種）を混合された後、脱水機６９にかけて脱水し、そのときの浸出液（脱水分離液）は前記生物処理槽４５に送られて排水処理設備側の汚水と一緒に処理され、一方脱水された汚泥は低温乾燥機７１に送られて乾燥された後、発酵機７３において発酵され、コンポスト（たい肥）として排出される。なお上記図３において７５は生物処理槽４５から発生する臭気を取り除く活性炭脱臭塔、Ｐはポンプ、Ｍはモータ、Ｂはブロワ、Ｆはファンを示している。
【００２２】
以上のようにこの実施形態によってプランニングされた排水処理設備とゴミ処理設備は、何れもその設備内において再資源化・減量化処理が施されるため、排出される廃棄物は圧縮機６８によって圧縮された固形分の廃棄物のみとなり、極めて少なく出来るばかりか、資源の有効利用が図れる。
【００２３】
図４は前記図１に示すプランニングとプラン実行の仲介システム１０のブロック構成図である。また図５は前記仲介システム１０を用いて排水処理設備とゴミ処理設備をプランニングする具体的方法を示す概略フロー図である（図２のステップ１〜３までの部分に相当している）。図４に示すようにこの仲介システム１０は、依頼人用パソコン２０からインターネットＩＮを介して入力される依頼先データを記憶する依頼先データベース１０−１と、各種設備業者用パソコン３０からインターネットＩＮを介して入力される設備データを記憶する設備データベース１０−２と、プランニングに必要な設計計算用データを記憶する設計計算用データベース１０−３と、前記依頼先データベース１０−１の依頼先データと設計計算用データベース１０−３の設計計算用データとを用いて便所とゴミ集積器の必要設置台数と、設置する排水処理設備とゴミ処理設備の各種パーツの選定及び組み合わせをプランニングするプランニング用演算装置１０−４と、前記プランニングした排水処理設備とゴミ処理設備の各種パーツを発注する各種設備業者を前記設備データベース１０−２の設備データを用いて選定する設備選定用演算装置１０−５とを具備して構成されている。なおハード的には、各データベース１０−１，２，３は同一の記憶手段を用いても良いし、またプランニング用演算装置１０−４と設備選定用演算装置１０−５も同一の演算手段を用いても良いことは言うまでもない。
【００２４】
そしてこの仲介システム１０を用いて排水処理設備とゴミ処理設備を具体的にプランニングするには、まず依頼人からインターネットＩＮを介して建設しようとする各種施設の少なくとも予定入場者数（宿泊者数と日帰者数）と処理対象（し尿、生活排水、生ゴミ、可燃ゴミ、不燃ゴミ（ビン・缶）等）と処理対象の処理要求グレード（処理対象をどの程度まで減量化・再資源化処理するかの要求内容。例えば図３の設備のようにほぼ完全に減量化・再資源化を図って処理水再利用とコンポスト化処理まで行なうグレードとか、減量化・再資源化を全く望まず単に廃棄物収集のみで良いとするグレードとか、減量化と処理水再利用まで望むがコンポスト化は不要であるとするグレードとかである）に関する依頼先データを入力してコンピュータの依頼先データベース１０−１に記憶しておく（ステップ１）。
【００２５】
一方各種設備業者からインターネットＩＮを介して提供できる排水処理設備とゴミ処理設備の各種パーツの数量や機種にかかる設備データを入力してコンピュータの設備データベース１０−２に記憶しておく（ステップ２）。
【００２６】
次にプランニング用演算装置１０−４において簡易便所４０の数と、し尿量と、生活排水量と、原液濃度を算出する（ステップ３−１）。ここで生活排水には手洗いの水や風呂の水などが含まれる。また原液濃度は排水中のし尿量の濃度を言う。排水の必要処理量は、例えば〔宿泊者数×宿泊者原単位〕＋〔日帰者数×日帰者原単位〕で求める。なお簡易便所４０の数やし尿量や生活排水量も、宿泊者数と日帰者数にそれぞれ所定の係数を掛ける等して求められる。
【００２７】
次にし尿貯留必要量を算出する（ステップ４−１）。し尿貯留必要量は、ステップ３−１で求めた排水の必要処理量に、日によって異なる日変動係数を掛けることで求める。つまり例えば休日の入場者数が多い場合は、そのときのし尿貯留必要量に合せたし尿貯留必要量を求める。そしてこのし尿貯留必要量に下記するゴミ処理設備の圧縮機６８で算出された浸出液量を加え、この全量に対応する貯留タンク４１の容量を算出し（ステップ５−１）、貯留タンク４１の機種選定を行なう（ステップ６−１）。
【００２８】
次に貯留タンク４１の容量に見合うスクリーン４３の選定を行った後（ステップ７−１）、前記し尿貯留必要量及び浸出液量や原液濃度などから生物処理槽４５の負荷計算を行なう（ステップ８−１）。その際下記するゴミ処理設備の脱水機６９での脱水分離液量を加えて計算する。そして生物処理槽４５の容量を算出してその機種を選定する（ステップ９−１，１０−１）。
【００２９】
次に前記生物処理槽４５によって処理された後の生物処理水の水質と、汚泥発生量を算出し（ステップ１１−１，１２−１）、前記水質から膜分離装置４７における膜分離処理面積を算出し（ステップ１３−１）、膜分離装置４７を選定する（ステップ１４−１）。
【００３０】
次に膜分離装置４７を通過した膜処理水の水量と水質とを算出し（ステップ１５−１）、これらの値から活性炭単位負荷を算出して（ステップ１６−１）、活性炭処理塔４９の機種を選定する（ステップ１７−１）。そして活性炭処理塔４９で処理された後の最終処理水量と水質とを算出し（ステップ１８−１）、処理水タンク５１を選定する（ステップ１９−１）。場合によっては更に処理水タンク５１内に設置した紫外線ランプ５３の機種も選定する。
【００３１】
一方ステップ２に戻って、プランニング用演算装置１０−４においてゴミ集積器６０の数と、生ゴミ・可燃ゴミ・不燃ゴミの量を算出する（ステップ３−２）。ゴミの発生量は、〔宿泊者数×宿泊者原単位〕＋〔日帰者数×日帰者原単位〕で求める。なおゴミ集積器６０の数は求めたゴミの発生量に所定の係数を掛けることで求められる。また各種ゴミの量や種類も、宿泊者数と日帰者数にそれぞれ所定の係数を掛ける等して求められる。
【００３２】
次に前記ゴミの量と種類から、ゴミホッパー６１の必要容量を算出する（ステップ４−２）。このゴミの量は、ステップ３−２で求めた全ゴミ量に、日によって異なる日変動係数を掛けることで求められる。次に生ゴミ分別器６３の必要能力を算出し（ステップ５−２）、その機種を選定する（ステップ６−２）。
【００３３】
そして全ゴミ量に分別率を掛けることで、分別生ゴミ量と非生ゴミ量の両者を算出し（ステップ７−２，２１−２）、まず分別生ゴミ量からこれを投入する汚泥タンク６５の必要容量と汚泥濃度とを計算する（ステップ８−２）。このとき分別生ゴミ量には、前記ステップ１２−１で算出した汚泥量を加える。そして汚泥タンク６５を選定する（ステップ９−２）。
【００３４】
次に前記汚泥タンク６５から脱水機６９に搬出される汚泥に混和する薬品の注入量を計算し（ステップ１０−２）、混和機６７を選定した後（ステップ１１−２）、汚泥の量から脱水機６９の能力を計算して選定し（ステップ１２−２，１３−２）、脱水機６９による脱水分離液量と脱水汚泥量を算出し（ステップ１４−２）、脱水汚泥量から乾燥機７１の能力を算出して選定する（ステップ１５−２，１６−２）。
【００３５】
そして乾燥機７１による乾燥汚泥量を算出して（ステップ１７−２）発酵機７３の容量を算出し（ステップ１８−２）、発酵機７３の機種を選定（ステップ１９−２）してコンポスト量を算出する（ステップ２０−２）。
【００３６】
一方ステップ２１−２において求めた非生ゴミ量からそれに見合う破砕機６６の機種を選定する（ステップ２２−２）。そして破砕ゴミ量を算出（ステップ２３−２）して圧縮機６８に必要とされる能力を算出し、選定する（ステップ２４−２，２５−２）。そして圧縮廃棄物量とその際浸出する浸出液量とを算出する（ステップ２６−２，２７−２）。そして前記圧縮廃棄物の量に見合う回収・運搬計画を作製する（ステップ２８−２）。
【００３７】
なお図５に示す各ステップにおける演算は主として図４に示すプランニング用演算装置１０−４において行なわれる。
【００３８】
以上本発明の実施形態を説明したが、本発明は上記実施形態に限定されるものではなく、特許請求の範囲、及び明細書と図面に記載された技術的思想の範囲内において種々の変形が可能である。例えば上記実施形態ではネットワークとしてインターネットＩＮを用いたが、他の各種ネットワークを用いても良く、さらにネットワーク以外の電話や無線などによる通信手段を用いても良い。また依頼先データとして予定入場者数と処理対象と処理対象の処理要求グレードとの他に、敷地面積、期間限定施設の場合は開催期間等を依頼先データに加えても良い。また上記実施形態では簡易便所４０を使用する例を示したが、簡易でない通常の便所を使用してもよい。また期間限定施設以外の恒常的な施設の建設に使用してもよいことは言うまでもない。また図３に示すプランニングしようとする汚水処理設備とゴミ処理設備の具体例は何れも一例であり、客先の求める処理対象の処理要求グレードに応じて何れかの各種パーツを省略してもよいし、また別のパーツを付加しても良い。それに応じて図５に示すプランニングの処理フローも変更する。
【００３９】
【発明の効果】
以上詳細に説明したように本発明によれば、建設しようとする施設にあった最適な排水処理設備やゴミ処理設備の数や機種を客先の要求グレードに合わせて提案できる最適なプランニングとプラン実行とが容易に行なえるようになる。
【００４０】
特に施設が期間限定施設の場合でも、排水とゴミの再利用や減量化まで設計・運用することを容易に行なえ、容易に環境上好ましい廃棄物処理が行なえる施設を建設できる。
【図面の簡単な説明】
【図１】本発明を実行するのに用いるネットワークの一構成例を示す図である。
【図２】ネットワークを用いて仲介システム１０が行なうプランニングとプラン実行の仲介方法の概略フロー図である。
【図３】プランニングされた排水処理設備とゴミ処理設備の構成例を示す図である。
【図４】プランニングとプラン実行の仲介システム１０のブロック構成図である。
【図５】仲介システム１０を用いて排水処理設備とゴミ処理設備をプランニングする具体的方法を示す概略フロー図である。
【符号の説明】
ＩＮ  インターネット（通信手段）
１０  仲介システム
１０−１  依頼先データベース
１０−２  設備データベース
１０−３  設計計算用データベース
１０−４  プランニング用演算装置
１０−５  設備選定用演算装置
２０  依頼人用パソコン
３０  各種設備業者用パソコン
４０  簡易便所（便所）
４１  貯留タンク
４３  スクリーン
４５  生物処理槽
４７  膜分離装置
４９  活性炭処理塔
５１  処理水タンク
５３  紫外線ランプ
６０  ゴミ処理設備
６５  汚泥タンク
６１  ゴミホッパー
６３  生ゴミ分別機
６５  汚泥タンク
６６  破砕機
６７  混和機
６８  圧縮機
６９  脱水機
７１  低温乾燥機
７３  発酵機
【図１】
0003751838.tif 000002
【図２】
0003751838.tif 000003
【図３】
0003751838.tif 000004
【図４】
0003751838.tif 000005
【図５】
0003751838.tif 000006